(57)【要約】【課題】家庭用として便利な美容ユニットを提案する。【解決手段】噴霧空気によって化粧水ミストを噴霧機のノズルからミスト噴霧開口を通して、プローブの上側位置に噴射するようにしたことにより、使用者が化粧水ミストを噴射したい肌の部位についてプローブを用いて美容処理を容易かつ的確に行い得る美容ユニットを実現できる。【選択図】図４
2008188118.tif 000002
【特許請求の範囲】
【請求項１】
ケースのパネルシート部の上側部に前方に突出するように設けられたプローブと、
上記プローブの上側位置に上記ケースの上記パネルシート部と上面板部との角部に削り落すように穿設されたミスト噴霧開口と、
上記ミスト噴霧開口内にノズルを突出させ、上記ノズルから噴霧空気によって化粧水ミストを上記ミスト噴霧開口を通して噴射する噴霧機と
を具えることを特徴とする美容ユニット。
【請求項２】
上記化粧水ミストが、上記プローブのヘッド部の突出位置において、上記プローブの上側位置を通るように、上記プローブに対する上記ノズルの位置を位置決めした
ことを特徴とする請求項１に記載の美容ユニット。
【請求項３】
上記ノズルは、上記プローブの上記ヘッド部より後方であって、上記プローブのヘッド部を処理対象である肌に当てた状態において上記ヘッド部を当てた位置を基準にして所定位置に所定の大きさの上記化粧水ミストを噴霧させる位置に位置決めした
ことを特徴とする請求項１に記載の美容ユニット。
【発明の詳細な説明】
【技術分野】
【０００１】
本発明は美容ユニットに関し、特に当該美容ユニットの使用者（これを使用者と呼ぶ）が肌の所定部位に的確な美容処理をできるようにしたものである。
【背景技術】
【０００２】
肌の美容処理について、一般に使用者は美容サロンにおいて超音波マッサージや、イオン導入や、化粧水の噴霧処理などの美容メニューを受けることができることにより、高度かつ安全性の点で不安がなく、美容効果を楽しむことができる（特許文献１参照）。
【特許文献１】特開２０００−１０２５８３公報
【発明の開示】
【発明が解決しようとする課題】
【０００３】
ところが、このように美容サロンに通うことに代え、またこれと同時に使用者が各自の家庭において、基本的な美容メニューを含んだ肌の美容処理ができれば、便利である。
【０００４】
本発明はかかる点を考慮してなされたもので、肌に対する噴霧処理を含む美容処理を使用者が個人的に容易かつ的確になし得るようにした美容ユニットを提案しようとするものである。
【課題を解決するための手段】
【０００５】
かかる課題を解決するため本発明においては、ケース２のパネルシート部２Ｂの上側部に前方に突出するように設けられたプローブ３と、プローブ３の上側位置にケース２のパネルシート部２Ｂと上面板部２Ｃとの角部に削り落すように穿設されたミスト噴霧開口４と、ミスト噴霧開口４内にノズル１５Ａを突出させ、ノズル１５Ａから噴霧空気によって化粧水ミストをミスト噴霧開口４を通して噴射する噴霧機１５とを設けるようにする。
【発明の効果】
【０００６】
本発明によれば、噴霧空気によって化粧水ミストをノズルからミスト噴霧開口を通して、プローブの上側位置に噴射するようにしたことにより、使用者が化粧水ミストを噴霧した肌の部位について肌にプローブを当てた状態で噴霧させても化粧水ミストの当たる場所が容易にわかり、その状態でトリートメントができ、これにより美容処理を容易かつ的確に行い得る美容ユニットを実現できる。
【発明を実施するための最良の形態】
【０００７】
以下図面について、本発明の一実施の形態を詳述する。
【０００８】
図１及び図２において、１は全体として美容ユニットを示し、絶縁性Ｕ字状縦長のケース本体部２Ａの前表面に長方形状の絶縁性パネルシート部２Ｂを形成したケース２を有する。
【０００９】
パネルシート部２Ｂの上側部分には、円筒状プローブ３が前方に突出するように設けられていると共に、当該プローブ３の上側位置にこれと隣接するようにミスト噴霧開口４が穿設されている。
【００１０】
プローブ３は図３に示すように、ケース２のパネルシート部２Ｂに取り付けられた絶縁性台部材１１の先端に、チタニウム材料でなる円形キャップ状のヘッド部１２が接合部１２Ａによって嵌め込み及び接着により保持されている。
【００１１】
ヘッド部１２の内側にはピエゾ素子でなる振動子１３が取り付けられ、そのリード線１３Ａから１．４〔Ｍｚ〕の超音波駆動信号が与えられたとき、振動子１３がヘッド部１２と一体に振動するようになされている。
【００１２】
ミスト噴霧開口４は、図４に示すように、ケース２のパネルシート部２Ｂと上面板部２Ｃとが連接する角部を前上方から削り落すことにより、前方から見たとき卵型形状を呈するような凹形状の内壁面４Ａを形成している。
【００１３】
かくして凹形状の内壁面４Ａの奥行き方向の突き当たり面に、断面円形の透孔４Ｂが形成され、この透孔４Ｂ内に噴霧機１５のノズル１５Ａのノズル噴出部材１５Ｈ（図５）が配設されている。
【００１４】
噴霧機１５には、化粧水用ボトル２１に接続された化粧水用チューブ２２が結合されていると共に、噴霧空気用ポンプ２３に接続された噴霧空気用チューブ２４が結合されている。
【００１５】
噴霧機１５は、図５に示すように、円柱形状の噴霧空気分流部材１５Ｂを有し、噴霧空気用チューブ２４が結合される導入端１５Ｃに下方から送り込まれた噴霧空気Ｆ１を前方向に４つの放出孔１５Ｄに分流して放出させる。
【００１６】
４つの放出孔１５Ｄは、噴霧空気分流部材１５Ｂの中心部を前後方向に貫通するように設けられた化粧水案内管１５Ｅの周囲における均等な位置に設けられ、これにより化粧水案内管１５Ｅの後方端部１５Ｆに対して化粧水用チューブ２２から与えられた化粧水Ｆ２が化粧水案内管１５Ｅの前方端部１５Ｇに案内されて来たとき当該案内されて来た化粧水Ｆ２を４つの放出孔１５Ｄから放出される噴霧空気Ｆ１と共に化粧水案内管１５Ｅの先端から前方に均一に放出させる。
【００１７】
噴霧空気分流部材１５Ｂの先端には、前方に行くに従つて先細り形状をもつ収束管部１５Ｈが化粧水案内管１５Ｅの前方端部１５Ｇを覆うように設けられ、これにより放出孔１５Ｄから放出された噴霧空気Ｆ１を当該前方端部１５Ｇの周囲に収束するように流す。
【００１８】
収束管部１５Ｈの先端には、化粧水案内管１５Ｅの前方端部１５Ｇを取り囲むように（前端面が前方端部１５Ｇの前端面より僅かに前方に出た状態で）、当該前方端部１５Ｇの外径より僅かに大きい内径を有する円筒形状のノズル噴出部材１５Ｉが設けられ、これにより収束管部１５Ｈによって収束された噴霧空気Ｆ１が化粧水案内管１５Ｅの前方端部１５Ｇと、ノズル噴出部材１５Ｉとの間の狭い間隙を通って当該前方端部１５Ｇの先端位置を高速度で流れることにより、前方端部１５Ｇ内にある化粧水Ｆ２を引き連れて微細な液滴としてノズル噴出部材１５Ｉから前方に噴出させる。
【００１９】
かくしてノズル噴出部材１５Ｉから噴出空気Ｆ１と共に噴出された化粧水Ｆ２は、ノズル噴出部材１５Ｉの先端から前方に円錐形状に広がりながら高速度で噴射する化粧水ミスト２５を形成する。
【００２０】
これと共に、化粧水案内管１５Ｅの前方端部１５Ｇの管内には、先端周囲を噴霧空気Ｆ１が高速度で流れることにより負圧が生じ、これにより化粧水用チューブ２２を介してローション用ボトル２１内の化粧水がノズル噴出部材１５Ｉに導出されて行く。
【００２１】
かくして噴霧機１５は、噴霧空気用ポンプ２３から噴霧空気用チューブ２４を通って噴霧空気が送り込まれたとき、ノズル１５Ａの先端に設けられているノズル噴出部材１５Ｈから円錐形状をもった化粧水ミスト２５を噴出させ、これをミスト噴霧開口４の透孔４Ｂを通ってミスト噴霧開口４から前方に噴射するようになされている。
【００２２】
この実施の形態の場合、プローブ３のヘッド部１２は直径が約２５〔ｍｍ〕の円形形状を有すると共に、ヘッド部１２と噴霧機１５のノズル１５Ａの前端面との間の距離が５０〔ｍｍ〕に選定されており、かくしてプローブ３のヘッド部１２を美容処理対象である肌（例えば顔肌）３０に押し付けたとき、化粧水ミスト２５が肌３０上に約３０〔ｍｍ〕の円形の噴霧スポット２５Ａを形成すると共に、当該噴霧スポット２５Ａの下縁とプローブ３のヘッド部１２との間に１〜５〔ｍｍ〕程度の僅かな間隙を形成するようにヘッド部１２と噴霧機１５のノズル１５Ａとの間の距離が設定されている。
【００２３】
ケース２のパネルシート部２Ｂの下側部分（図２）には、動作モード選択ボタン３５と、液晶表示部材で構成された動作モード表示部３６とが設けられている。
【００２４】
動作モード選択ボタン３５は、美容ユニット１に対する電源の供給及び停止を操作する電源ボタン３５Ａと、ミストモードボタン３５Ｂと、超音波モードボタン３５Ｃと、イオン導入モードボタン３５Ｄを有する。
【００２５】
ミストモードボタン３５Ｂが操作されたとき、噴霧空気用ポンプ２３が駆動されることにより、噴霧機１５がノズル１５Ａから化粧水ミスト２５を噴霧する動作を行わせ、この状態から再度ミストモードボタン３５Ｂが操作されたとき、噴霧空気用ポンプ２３を停止させることにより当該ミストモードを停止させる。
【００２６】
またイオン導入モードボタン３５Ｄが操作されたとき、ヘッド部１２が「マイナス」又は「プラス」電位を維持することにより、肌３０に対してイオン導入電流を流すことにより、化粧水のイオン導入動作又は毛穴の汚れの引出し動作を行わせる。
【００２７】
このイオン導入動作モード時には、ケース２のケース本体部２Ａのパネルシート部２Ｂの両側に沿うように設けられた対極導子３７（図１）を使用者に触れさせ、かつ、ヘッド部１２を肌３０に当てることにより、使用者の肌３０へのイオン導入電流をプローブ３のヘッド部１２から流させるようになされている。
【００２８】
超音波モードボタン３５Ｃが操作されたとき、プローブ３のヘッド部１２と一体に設けられている振動子１３が振動し、当該ヘッド部１２に押し当てられている肌３０に振動を与えることにより、肌３０に対して美容効果を生じさせる。
【００２９】
美容ユニット１はこれらの動作モードになったとき、当該動作状態は動作モード表示部３６に表示され、これにより使用者が現在行われている美容動作モードを確認できるようになされている。
【００３０】
以上の構成において肌３０の美容処理の開始時において、使用者は美容ユニット１のケース２の中央部分を手のひらで握って電源ボタン３５Ａを操作した後、ミストモードボタン３５Ｂを操作することによって噴霧機１５から化粧水ミスト２５を噴射させる。
【００３１】
このとき使用者がプローブ３のヘッド部１２を肌３０から離した位置で化粧水ミスト２５を噴射させるようにすれば、化粧水ミスト２５は円錐形状に形成されることにより、図４の噴霧スポット２５Ａより広い肌３０の部位に化粧水ミスト２５を当てることができ、これによりこれから美容処理をしようとする部位して必要に応じて十分な化粧水を噴霧できることにより簡易に美容処理の下地を作ることができる。
【００３２】
かくするにつき、噴霧機１５から噴霧される化粧水ミスト２５は、ミスト噴霧開口４を通った後プローブ３のヘッド部１２の近傍位置を通って、ヘッド部１２から離れた位置にある肌３０に噴霧される際に、ヘッド部１２を通るときの噴霧スポット２５Ａがヘッド部１２との間に間隙を保持するようにされていると共に、ミスト噴霧開口４の内壁面４Ａがケース２の上面板部２Ｃの上方に開放されていることにより、使用者が噴霧したいと考えている顔肌の部位に、容易に噴霧状態を意識しながら、化粧水ミスト２５を噴霧することができる。
【００３３】
因に、プローブ３の肌３０に当たるヘッド部１２に対して、ノズル１５Ａが後方に位置しているので、プローブ３を肌３０に当てた状態で化粧水ミスト２５を噴霧させても、化粧水ミスト２５の広がり具合に応じて程よいスポットが形成される。
【００３４】
この結果、使用者は、化粧水ミスト２５を噴霧させながらトリートメントすることができる。
【００３５】
これに加えて、通常、顔に化粧水を噴霧する場合、使用者の多くは、目を閉じる。
【００３６】
すると顔のどの場所に化粧水ミスト２５が当たるかが分からなく不安になるおそれがあるが、プローブ３を肌３０に当てることで、化粧水ミスト２５が肌３０のどの位置に噴霧されるか容易にわかるので、不安の原因を改善できる。
【００３７】
さらに、パネルシート部２Ｂの上端を削り落してミスト噴霧開口４を設けた形状にしたことにより、鼻の際にプローブ３を当てても、ケース２の上端部を鼻にぶつけることなくトリートメントができる。
【００３８】
このミストモードにおける化粧水の噴霧が終わった後、当該化粧水の噴霧と同時に、イオン導入モードや超音波モードで美容処理を行う場合には、使用者は、当該ミストモードボタン３５Ｂの操作に加えてイオン導入モードボタン３５Ｄ及び又は超音波モードボタン３５Ｃを操作すると共に、プローブ３のヘッド部１２を肌３０上に押し付ける操作をする。
【００３９】
このとき肌３０上には、図４に示すような所定の大きさの噴霧スポット２５Ａに化粧水ミスト２５が噴霧された状態において、これと同時にプローブ３のヘッド部１２とイオン導入動作及び又は超音波振動動作をする状態になる。
【００４０】
このとき使用者はプローブ３のヘッド部１２が肌３０上を滑らせるようにゆっくり螺旋を描くようなトリートメント操作をすると、噴霧スポット２５Ａに化粧水ミスト２５を噴霧した部位にプローブ３のヘッド部１２を接触させて行くことができることにより、ヘッド部１２と肌３０との間に化粧水が存在する状態でイオン導入処理及び又は超音波振動による美容処理を行うことができ、これにより一度に各モードの美容効果を組み合わせたような美容処理を何ら難しい操作をすることなく行うことができる。
【００４１】
かくするにつき、噴霧スポット２５Ａとヘッド部１２との間に間隙を置くと共に、ミスト噴霧開口４を上方に開放するように構成したことにより、プローブ３のヘッド部１２に過剰なローションを噴霧することなく使用者が容易に考えた通りの美容操作をすることができる。
【００４２】
以上の構成によれば、プローブ３のヘッド部１２と隣接する位置に上方に開放されているミスト噴霧開口４を通って化粧水ミスト２５を噴射できるようにしたことにより、美容サロンにおいて受けることができる美容メニューを使用者自身が容易に行うことができるような家庭用として便利な美容ユニットを得ることができる。
【産業上の利用可能性】
【００４３】
本発明は家庭用の美容ユニットに適用できる。
【図面の簡単な説明】
【００４４】
【図１】本発明の一実施の形態による美容ユニットを示す斜視図である。
【図２】図１の美容ユニットの正面図である。
【図３】図１のプローブ３の詳細構成を示す部分的断面図である。
【図４】化粧水ミストの噴射構成の説明に供する略線図である。
【図５】噴霧機の詳細構成の一部を透視して示す斜視図である。
【符号の説明】
【００４５】
１……美容ユニット、２……ケース、２Ａ……ケース本体部、２Ｂ……パネルシート部、２Ｃ……上面板部、３……プローブ、４……ミスト噴霧開口、４Ａ……内壁面、１１……台部材、１２……ヘッド部、１２Ａ……接合部、１３……振動子、１３Ａ……リード線、１５……噴霧機、１５Ａ……ノズル、１５Ｂ……噴霧空気分流部材、１５Ｃ……導入端、１５Ｄ……放出孔、１５Ｅ……化粧水案内管、１５Ｆ……後方端部、１５Ｇ……前方端部、１５Ｈ……収束管部、１５Ｉ……ノズル噴出部材、２１……ローション用ボトル、２２……化粧水用チューブ、２３……噴霧空気用ポンプ、２４……噴霧空気用チューブ、２５……化粧水ミスト、２５Ａ……噴霧スポット、３０……肌、３５……動作モード選択ボタン、３５Ａ……電源ボタン、３５Ｂ……ミストモードボタン、３５Ｃ……超音波モードボタン、３５Ｄ……イオン導入モードボタン、３６……動作モード表示部。
【図１】
2008188118.tif 000003
【図２】
2008188118.tif 000004
【図３】
2008188118.tif 000005
【図４】
2008188118.tif 000006
【図５】
2008188118.tif 000007